(57)【要約】【課題】食器洗浄機等の機器の配管連結の作業性を向上させるキッチンキャビネットを提供することを目的としている。【解決手段】上方に天板が載置される、左右の側板、背板及び底板とからなる前方が開放したキッチンキャビネットであって、該キャビネットは厨房機器が収納されるスペースと、厨房機器の下方に配管用の下部空間を有し、厨房機器が載置される底板には厨房機器が収納されるスペースと下部空間が連通する開口部が形成されていることを特徴とする。【選択図】図２
2006087529.tif 000002
【特許請求の範囲】
【請求項１】
上方に天板が載置される、左右の側板、背板及び底板とからなる前方が開放したキッチンキャビネットであって、該キャビネットは厨房機器収納スペースと、厨房機器の下方に配管用の下部空間を有し、厨房機器が載置される底板には厨房機器が収納されるスペースと下部空間が連通する開口部が形成されたキッチンキャビネット。
【請求項２】
前記底板は、少なくとも間口方向が略中央部５０ｍｍ〜１００ｍｍおよび奥行き方向が背板から２５０ｍｍ以下の部分を残す形状である請求項１に記載のキッチンキャビネット。
【請求項３】
前記厨房機器の上部に、引出しを有する請求項１または２に記載のキッチンキャビネット。
【請求項４】
厨房機器が載置される底板には、厨房機器が収納されるスペースと下部空間が連通する開口部が形成されたキッチンキャビネットにおいて、キッチンキャビネット下部の配管本管と前記キッチンキャビネットに収納する厨房機器側配管ホースとの接続に際し、厨房機器をキャビネット前方近傍に仮置きし、キャビネット前面開放部側から、前記底板の開口部を通じて、厨房機器側配管ホースと配管本管とを接続し、次いで余剰ホースを開口部下部に落とし込みながら、厨房機器をキャビネット内に収納設置する厨房機器のキャビネット内据付方法。
【発明の詳細な説明】
【技術分野】
【０００１】
本発明はキッチンキャビネットおよび厨房機器のキャビネット内据付方法に関するものである。
【背景技術】
【０００２】
従来、この種のキッチンキャビネットとして、下部配管用空間と、その上方の引出し用空間と、引出し用空間の上方の厨房機器収納空間とを有し、前記引出し用空間にその後部を後部配管用空間とするべく奥行き長さがキッチンキャビネットの奥行きに対して短い引出しが出し入れ自在に設けられたものは知られている。
【０００３】
【特許文献１】特開２００３−７０５７６公報
【発明の開示】
【発明が解決しようとする課題】
【０００４】
しかし前記従来のキッチンキャビネットは、引出し用空間の後方に設けられた後部配管用空間で配管連結をしなければならないため、作業がやりづらいという問題があった。
【０００５】
この発明は、かかる現状に鑑み創案されたものであって、その目的とするところは、食器洗浄機等の機器の配管連結の作業性を向上させるキッチンキャビネットおよび厨房機器のキャビネット内据付方法を提供することを目的としている。
【課題を解決するための手段】
【０００６】
上記目的を達成するため、請求項１に記載の発明にあっては、上方に天板が載置される、左右の側板、背板及び底板とからなる前方が開放したキッチンキャビネットであって、該キャビネットは厨房機器が収納されるスペースと、厨房機器の下方に配管用の下部空間を有し、厨房機器が載置される底板には厨房機器が収納されるスペースと下部空間が連通する開口部が形成されている。
【０００７】
請求項２に記載の発明にあっては、請求項１に記載のキッチンキャビネットを技術的前提とし、前記底板は、少なくとも間口方向が略中央部５０ｍｍ〜１００ｍｍおよび奥行き方向が背板から２５０ｍｍ以下の部分を残す形状である請求項１に記載のキッチンキャビネット。
【０００８】
請求項３に記載の発明にあっては、請求項１または２のいずれかに記載のキッチンキャビネットを技術的前提とし、前記厨房機器の上部には、引出しを有する。
【０００９】
請求項４に記載の発明にあっては、厨房機器が載置される底板には、厨房機器が収納されるスペースと下部空間が連通する開口部が形成されたキッチンキャビネットにおいて、キッチンキャビネット下部の配管本管と前記キッチンキャビネットに収納する厨房機器側配管ホースとの接続に際し、厨房機器をキャビネット前方近傍に仮置きし、キャビネット前面開放部側から、前記底板の開口部を通じて、厨房機器側配管ホースと配管本管とを接続し、次いで余剰ホースを開口部下部に落とし込みながら、厨房機器をキャビネット内に収納設置する厨房機器のキャビネット内据付方法である。
【発明の効果】
【００１０】
以上説明したように、請求項１に記載の発明にあっては、上方に天板が載置される、左右の側板、背板及び底板とからなる前方が開放したキッチンキャビネットであって、該キャビネットは厨房機器が収納されるスペースと、厨房機器の下方に配管用の下部空間を有し、厨房機器が載置される底板には厨房機器が収納されるスペースと下部空間が連通する開口部を形成したので、配管用の下部空間に容易に手を入れることができ、配管連結の作業性が増し、施工ミスも防げ、点検もしやすい。
【００１１】
請求項２に記載の発明にあっては、前記底板は、少なくとも間口方向が略中央部５０ｍｍ〜１００ｍｍおよび奥行き方向が背板から２５０ｍｍ以下の部分を残す形状にしたので、ほぼ中央部後方に底板に金具を取り付けることができ、洗浄庫を引き出した時でも食器洗い乾燥機の背面下部の固定用開口部を固定金具の固定片で固定しているので、食器洗い乾燥機は前方に倒れることがない。なお、食器洗い乾燥機を前後左右方向に安定した状態で固定するために底板は、少なくとも間口方向が略中央部５０ｍｍ〜１００ｍｍおよび奥行き方向が背板から２５０ｍｍ以下の部分を残す形状が好適であり、残した底板に固定金具を取り付けるとよい。
【００１２】
請求項３に記載の発明にあっては、厨房機器の上部に引出しを有するので、体をかがめることなく収納物を出し入れできる。
【００１３】
請求項４に記載の発明にあっては、厨房機器が載置される底板には厨房機器が収納されるスペースと下部空間が連通する開口部が形成されたキッチンキャビネットにおいて、キッチンキャビネット下部の配管本管と前記キッチンキャビネットに収納する厨房機器側配管ホースとの接続に際し、厨房機器をキャビネット前方近傍に仮置きし、キャビネット前面開放部側から、前記底板の開口部を通じて、厨房機器側配管ホースと配管本管とを接続し、次いで余剰ホースを開口部下部に落とし込みながら、厨房機器をキャビネット内に収納設置する厨房機器のキャビネット内据付方法であるので、機器を手前に引き出し、配管作業スペースを広くして配管作業が可能となるため、安全で確実な配管作業ができ、作業時間も短縮できる。
【発明を実施するための最良の形態】
【００１４】
以下、添付図面に示す発明の実施例１に基づき、この発明を詳細に説明する。
【実施例１】
【００１５】
図１は、この発明のキッチンキャビネットＫの厨房機器収納スペースＳに食器洗い乾燥機７を設置した場合を示している。図１に示すように、この発明のキッチンキャビネットＫは上方に天板Ｔが載置され、左右の側板１、１と、背板２と底板３と上底板３ａからなり、上底板３ａの上部空間には引出し６が収納され、底板３と上底板３ａと背板２で形成される厨房機器収納スペースＳには厨房機器である食器洗い乾燥機７が収納されている。
【００１６】
更に、底板３には開口部５が穿設され、開口部５より食器洗い乾燥機７の背面に接続されている給湯（給水）ホースや排水ホースなどの配管ホース８を下部空間４に取り込み、配管本管１０に接続している。
【００１７】
図２は、食器洗い乾燥機７をキッチンキャビネットＫに設置する前の状態を示している。前記キッチンキャビネットにおいて、キッチンキャビネット下部の配管本管１０と前記キッチンキャビネットに収納する食器洗い乾燥機７の背面に接続されている給湯（給水）ホースや排水ホースなどの配管ホース８との接続に際し、厨房機器をキャビネット前方近傍に仮置きし、キャビネット前面開放部側から、前記底板３の開口部５を通じて、厨房機器側配管ホース８と配管本管１０とを接続している。次いで余剰ホースを開口部下部に落とし込みながら、厨房機器をキャビネット内に収納設置すれば図１の状態となる。
【００１８】
図３は、食器洗い乾燥機７の背面図である。背面視左側略１／２の高さには給湯（給水）ホースや排水ホースなどの配管ホース８、８が接続され、下部略中央には固定用開口部１１が設けられている。
【００１９】
図４は、キッチンキャビネットＫの底板３に取り付けられる固定金具９である。固定金具９は固定片９ａ、垂直片９ｂ、取付片９ｃからなり、取付片９ｃは固定片９ａより長く形成されている。取付片９ｃには孔９ｄが複数個設けられているので、底板３にねじで固定することができる。固定金具９はこのように構成されているので、キッチンキャビネットＫの前方より食器洗い乾燥機７を押し込んで設置した時に、食器洗い乾燥機７の背面下部に設けられた固定用開口部１１に固定片９ａが挿入される。
【００２０】
図５は、食器洗い乾燥機７の洗浄庫７ａを引き出した状態を示す図である。この状態では洗浄庫７ａや食器などの洗浄物（図示せず）の荷重により食器洗い乾燥機７は前方へ倒れようとするが、前述したとおり、食器洗い乾燥機７の背面下部に設けられた固定用開口部１１に固定金具９の固定片９ａが挿入されているので、前方に倒れることはない。
【００２１】
図６は、キッチンキャビネットＫの底板３に設けられる開口部５の例を示した平面図である。前方は大きく開口し、右側のみを奥まで開口した形状である。
【００２２】
図７は、キッチンキャビネットＫの底板３に設けられる開口部５の例を示した平面図である。前方は大きく開口し、略中央後部を残し、左右を奥まで開口した形状である。
【００２３】
図８は、キッチンキャビネットＫの底板３に設けられる開口部５の例を示した平面図である。略中央を残し、左右を奥まで開口した形状である。
【００２４】
図９は、キッチンキャビネットＫの底板３に設けられる開口部５の例を示した平面図である。右側のみを奥まで開口した形状である。
【００２５】
図１０は、キッチンキャビネットＫの底板３に設けられる開口部５の例を示した平面図である。前方を大きく開口した形状である。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、上記実施例では厨房機器を食器洗い乾燥機として説明してきたが、食器乾燥機でも同様の効果が得られることは勿論である。
【００２８】
また、キッチンキャビネットＫは木製キャビネットに限定されず、ステンレス等により形成された金属キャビネットも含まれる。その場合は、底板３の下側に補強桟を取り付けることでたわみを防止することができる。
【００２９】
更に、上記実施例では、床立ち上げ配管を例に取り説明してきたが、壁出し配管や床転がし配管でも同様の効果が得られることは言うまでもない。
【図面の簡単な説明】
【００３０】
【図１】この発明でキッチンキャビネットの厨房機器収納スペースに食器洗い乾燥機を設置した状態を示すキャビネットの断面図である。
【図２】この発明で食器洗い乾燥機をキッチンキャビネットＫに設置する前の状態を示す断面図である。
【図３】食器洗い乾燥機の背面図である。
【図４】固定金具の斜視図である。
【図５】この発明でキッチンキャビネットの厨房機器収納スペースに食器洗い乾燥機を設置し、洗浄庫を引き出した状態を示すキャビネットの断面図である。
【図６】底板の開口部の実施例を示す平面図である。
【図７】底板の開口部の実施例を示す平面図である。
【図８】底板の開口部の実施例を示す平面図である。
【図９】底板の開口部の実施例を示す平面図である。
【図１０】底板の開口部の実施例を示す平面図である。
【符号の説明】
【００３１】
Ｋ  キッチンキャビネット
Ｔ  天板
Ｓ  厨房機器収納スペース
１  側板
２  背板
３  底板
４  下部空間
５  開口部
６  引出し
７  食器洗い乾燥機
８  配管ホース
９  固定金具
１０  配管本管
【図１】
2006087529.tif 000003
【図２】
2006087529.tif 000004
【図３】
2006087529.tif 000005
【図４】
2006087529.tif 000006
【図５】
2006087529.tif 000007
【図６】
2006087529.tif 000008
【図７】
2006087529.tif 000009
【図８】
2006087529.tif 000010
【図９】
2006087529.tif 000011
【図１０】
2006087529.tif 000012